(57)【特許請求の範囲】
【請求項１】
可撓性シートで形成され流動物が充填された袋状の容器本体部と前記容器本体部の開口部に固着された容器口部とを含む充填容器に装着されうる前記流動物の導出補助具であって、
前記導出補助具は、ノズル付きキャップと閉塞抑制部材とを含み、
前記ノズル付きキャップは、
前記容器口部への着脱を可能とする接続部位を有するキャップ部と、
前記キャップ部の内部空間に連通しており前記容器本体部に充填された前記流動物を前記容器本体部外に流出させるうる貫通孔が形成されたノズルと、を含み、
前記閉塞抑制部材は、
前記容器口部内に配置された状態でその一部が前記容器口部から容器本体部内に突き出て前記可撓性シートに面する棒状体と、
前記棒状体の外表面のうちの前記容器本体部内に突き出た領域から突出した突出部と、を含み、
前記閉塞抑制部材は、その長手方向にそって、
前記突出部を有した閉塞抑制領域と、
前記容器本体部内に配置された一方の端部の反対側の端部に配置された把持領域と、
前記閉塞抑制領域と前記把持領域との間に配置され、前記閉塞抑制部材の長手方向と直交する方向の最大長が、前記容器口部の最小内径より大きいか又は等しく且つ前記ノズルの最小内径よりも大きいことにより前記容器口部の内面と摩擦係合して、前記閉塞抑制部材の上下方向の移動を制限する位置規制領域とを含み、
前記閉塞抑制部材は、前記容器口部内に挿入された状態で前記容器口部の内面との間に前記流動物が流れる流動用間隙を形成し、
前記位置規制領域が前記容器口部の内面と摩擦係合した状態で、前記把持領域の一部が、前記容器口部から前記充填容器の外に突き出ている、流動物の導出補助具。
【請求項２】
前記棒状体のうちの前記位置規制領域に対応する部分であって前記最大長さを有する部分の断面形状が長方形である請求項１に記載の流動物の導出補助具。
【請求項３】
前記棒状体のうちの前記位置規制領域に対応する部分は、
前記閉塞抑制領域側に向かって、前記閉塞抑制部材の長手方向と直交する方向の長さが連続して小さくなった部分を含む請求項２に記載の流動物の導出補助具。
【請求項４】
前記ノズル付きキャップは、
前記容器口部へ、螺合により着脱自在に装着される、請求項１〜３のいずれかの項に記載の流動物の導出補助具。
【請求項５】
前記容器口部の外周面にオネジが形成されており、
前記ノズル付きキャップは、
前記容器口部に装着された状態のときに、
前記容器口部の内周面に密着する第１筒状部と、
前記第１筒状部と離間して前記第１筒状部の外側に配置され、前記オネジと螺合可能なメネジがその内周面に形成された第２筒状部と含む、請求項１〜４のいずれかの項に記載の流動物の導出補助具。
【請求項６】
前記位置規制領域が、前記第１筒状部の端面に当接することにより、前記閉塞抑制部材の挿入方向とは反対方向への移動が制限される、請求項５に記載の流動物の導出補助具。
【請求項７】
前記ノズル付きキャップは、可撓性チューブと前記可撓性チューブの一方の端部に設けられたメス型コネクタとを含む医療用送液回路の前記メス型コネクタと係合可能な係合部を含む、請求項１〜６のいずれかの項に記載の流動物の導出補助具。
【請求項８】
可撓性シートで形成され流動物が充填された袋状の容器本体部と前記容器本体部の開口部に固着された容器口部とを含む充填容器に対して前記充填容器内の前記流動物の導出を補助する導出補助具の、前記充填容器への取り付け構造であって、
前記導出補助具は、ノズル付きキャップと閉塞抑制部材とを含み、
前記ノズル付きキャップは、
前記容器口部への着脱を可能とする接続部位を有するキャップ部と、
前記キャップ部の内部空間に連通しており前記容器本体部に充填された前記流動物を前記容器本体部外に流出させるうる貫通孔が形成されたノズルと、を含み、
前記閉塞抑制部材は、
前記容器口部内に配置された状態でその一部が前記容器口部から容器本体部内に突き出て前記可撓性シートに面する棒状体と、
前記棒状体の外表面のうちの前記容器本体部内に突き出た領域から突出した突出部と、を含み、
前記閉塞抑制部材は、その長手方向にそって、
前記突出部を有した閉塞抑制領域と、
前記容器本体部内に配置された一方の端部の反対側の端部に配置された把持領域と、
前記閉塞抑制領域と前記把持領域との間に配置され、前記閉塞抑制部材の長手方向と直交する方向の最大長が、前記容器口部の最小内径より大きいか又は等しく且つ前記ノズルの最小内径よりも大きいことにより前記容器口部の内面と摩擦係合して、前記閉塞抑制部材の上下方向の移動を制限する位置規制領域とを含み、
前記閉塞抑制部材は、前記容器口部内に挿入された状態で前記容器口部の内面との間に前記流動物が流れる流動用間隙を形成し、
前記位置規制領域が前記容器口部の内面と摩擦係合した状態で、前記把持領域の一部が、前記容器口部から前記充填容器の外に突き出ている、導出補助具の充填容器への取り付け構造。
【請求項９】
前記棒状体のうちの前記位置規制領域に対応する部分であって前記最大長を有する部分の断面形状が長方形である請求項８に記載の導出補助具の充填容器への取り付け構造。
【請求項１０】
前記棒状体のうちの前記位置規制領域に対応する部分は、
前記閉塞抑制領域側に向かって、前記閉塞抑制部材の長手方向と直交する方向の長さが連続して小さくなった部分を含む請求項９に記載の導出補助具の充填容器への取り付け構造。
【請求項１１】
前記容器口部の外周面にオネジが形成されており、
前記ノズル付きキャップは、
前記容器口部に装着された状態のときに、
前記容器口部の内周面に密着する第１筒状部と、
前記第１筒状部と離間して前記第１筒状部の外側に配置され、前記オネジと螺合可能なメネジがその内周面に形成された第２筒状部と含む、請求項８〜１０のいずれかの項に記載の導出補助具の充填容器への取り付け構造。
【請求項１２】
前記位置規制領域が、前記第１筒状部の端面に当接することにより、前記閉塞抑制部材の挿入方向とは反対方向への移動が制限される、請求項１１に記載の導出補助具の充填容器への取り付け構造。
【請求項１３】
前記ノズル付きキャップは、可撓性チューブと前記可撓性チューブの一方の端部に設けられたメス型コネクタとを含む医療用送液回路の前記メス型コネクタと係合可能な係合部を含む、請求項８〜１２のいずれかの項に記載の導出補助具の充填容器への取り付け構造。
【請求項１４】
可撓性シートで形成され流動物が充填された袋状の容器本体部と前記容器本体部の開口部に固着された容器口部とを含む充填容器と、前記充填容器内の前記流動物の導出を補助する導出補助具とを含む、流動物供給キットであって、
前記導出補助具は、ノズル付きキャップと閉塞抑制部材とを含み、
前記ノズル付きキャップは、
前記容器口部への着脱を可能とする接続部位を有するキャップ部と、
前記キャップ部の内部空間に連通しており前記容器本体部に充填された前記流動物を前記容器本体部外に流出させるうる貫通孔が形成されたノズルと、を含み、
前記閉塞抑制部材は、
前記容器口部内に配置された状態でその一部が前記容器口部から容器本体部内に突き出て前記可撓性シートに面する棒状体と、
前記棒状体の外表面のうちの前記容器本体部内に突き出た領域から突出した突出部と、を含み、
前記閉塞抑制部材は、その長手方向にそって、
前記突出部を有した閉塞抑制領域と、
前記容器本体部内に配置された一方の端部の反対側の端部に配置された把持領域と、
前記閉塞抑制領域と前記把持領域との間に配置され、前記閉塞抑制部材の長手方向と直交する方向の最大長が、前記容器口部の最小内径より大きいか又は等しく且つ前記ノズルの最小内径よりも大きいことにより前記容器口部の内面と摩擦係合して、前記閉塞抑制部材の上下方向の移動を制限する位置規制領域とを含み、
前記閉塞抑制部材は、前記容器口部内に挿入された状態で前記容器口部の内面との間に前記流動物が流れる流動用間隙を形成し、
前記位置規制領域が前記容器口部の内面と摩擦係合した状態で、前記把持領域の一部が、前記容器口部から前記充填容器の外に突き出ている流動物供給キット。
【請求項１５】
前記棒状体のうちの前記位置規制領域に対応する部分であって前記最大長を有する部分の断面形状が長方形である請求項１４に記載の流動物供給キット。
【請求項１６】
前記棒状体のうちの前記位置規制領域に対応する部分は、
前記閉塞抑制領域側に向かって前記閉塞抑制部材の長手方向と直交する方向の長さが連続して小さくなった部分含む、請求項１５に記載の流動物供給キット。
【請求項１７】
前記容器口部の外周面にオネジが形成されており、
前記ノズル付きキャップは、
前記容器口部に装着された状態のときに、
前記容器口部の内周面に密着する第１筒状部と、
前記第１筒状部と離間して前記第１筒状部の外側に配置され、前記オネジと螺合可能なメネジがその内周面に形成された第２筒状部と含む、請求項１４〜１６のいずれかの項に記載の流動物供給キット。
【請求項１８】
前記位置規制領域が、前記第１筒状部の端面に当接することにより、前記閉塞抑制部材の挿入方向とは反対方向への移動が制限される、請求項１７に記載の流動物供給キット。
【請求項１９】
前記ノズル付きキャップは、可撓性チューブと前記可撓性チューブの一方の端部に設けられたメス型コネクタとを含む医療用送液回路の前記メス型コネクタと係合可能な係合部を含む、請求項１４〜１８のいずれかの項に記載の流動物供給キット。
【発明の詳細な説明】
【技術分野】
【０００１】
本発明は、流動物の導出補助具、当該導出補助具の充填容器への取り付け構造、並びに流動物供給キットに関する。
【背景技術】
【０００２】
可撓性を有する袋状の容器本体部（「パウチ」とも呼ばれる。）に容器口部が固定され、容器本体部内に、液体飲料、ゼリー飲料等の流動性を有する内容物（以下「流動物」と呼ぶ場合もある。）が充填された容器が知られている。
【０００３】
このような充填容器においては、使用者が流動物の吸引時に容器本体部が閉塞して、容器本体内の流動物の吸引ができなるような場合があるため、上記容器口部に変えて取出装置を備えた充填容器が開示されている（特許文献１〜３等参照）。
【０００４】
特許文献１に記載の取出具は、容器口部に一体的に成形され、容器本体部の内部空間に延存するように設けられた導管部を有している。導管部はストローとして機能するものであり、その長さは、下側先端が袋状容器本体部の底部近くに位置するように設定されている。
【０００５】
特許文献２に記載の取出具は、筒状をなし容器本体部の外部へ突出した取出口部と取出口部に連通する通路が形成されて容器本体に密接に固定された挿入部とからなる容器口部と、挿入部から容器本体部内へ延設され棒状をなし剛性を有する補形部材とを含む。補形部材は、容器本体部の形態維持に寄与して容器本体の折れ曲がりを抑制し、容器本体部内からの流動物の吸出しが悪くなることを抑制する。
【０００６】
特許文献３に記載のパウチ用足付注出口は、パウチ（容器本体部）に固定される注出口本体（容器口部）と、注出口本体に接続された接続十字リブとを備える。接続十字リブは、容器本体部の流動物を注出口本体に口をつけて吸引する際に、容器本体部が閉塞し吸引途中に吸引不可能になることを抑制する。接続十字リブと注出口本体は、各々別々に成形されたいわゆる別体であり、両者は、例えば、凹凸嵌合により相互に着脱自在に接続されている。故に、内容物を飲み終わった後、接続十字リブを注出口本体から取り外すことができ（例えば、上記嵌合を解除でき）、廃棄の際にゴミの嵩を小さくできる。
【先行技術文献】
【特許文献】
【０００７】
【特許文献１】実公平０７−４２３０号公報
【特許文献２】特開平１１−１０５８９５号公報
【特許文献３】特開平１０−９５４４５号公報
【発明の概要】
【発明が解決しようとする課題】
【０００８】
しかし、流動物の粘度が比較的低い場合は、流動物の吸い出し易さの観点から、引用文献１に記載の導管部、特許文献２に記載の補形部材、又は特許文献３に記載の接続十字リブ等の導出補助具を備えた導出補助具付きタイプの充填容器の方が好ましいが、粘度が比較的高い場合は、これらが無い導出補助具無しタイプの充填容器の方が流動物を吸い出し易く好ましい。また、流動物を口で吸い出す場合、補形部材や接続十字リブ等の導出補助具の有無の良否は個人差がある。
【０００９】
引用文献１〜２に記載の取出具では、容器口部と導出補助具とが一体化されているため、導出補助具の有無について、個人にあった使い分けをすることができない。
【００１０】
引用文献３のパウチ用足付注出口については、注出口本体から接続十字リブを取り外してから流動物を吸引することは可能であるかもしれないが、そのようなことは想定されていない。仮に、注出口本体から接続十字リブを取り外してから流動物を吸引すると、分離された接続十字リブが流動物中に浮遊することとなるので、接続十字リブが内容物の吸引を妨げる可能性がある。また、この場合は、容器本体部を丸めながら容器本体部から流動物を搾り出すことができない。充填容器を圧縮するための装置等を用いて流動物を充填容器から押し出す場合には、流動物を押し出しきれずに流動物が容器本体部内に残ってしまう。
【００１１】
また、食道や口腔等の外傷、疾患、又は手術等によって食物を口腔から胃に送り込むことが困難となった患者に栄養剤、流動食、又は薬剤など（一般に「経腸栄養剤」と呼ばれる。これらも「流動物」に包含される。）を投与する方法として経腸栄養療法が知られている。経腸栄養療法では、液状物を患者の体内に送り込むために可撓性を有するチューブ（一般に「経腸栄養療法用カテーテル」と呼ばれる。）が用いられる。経腸栄養療法を行う際には、カテーテルの一方の端部を患者の体内に挿入し、他方の端部に、流動物が充填された充填容器が接続されて、上記カテーテルを介して患者に流動物が供給される。しかし、患者のコンディションや、患者がその時に置かれている環境によっては、経口摂取が行われる場合もあるし、動式ポンプ等の供給手段を使用して患者に流動物を供給する経管栄養が場合もある。
【００１２】
このように、充填容器における導出補助具の有無の良否は、流動物の粘度、個人のコンディション、供給手段等に応じて様々である。そこで、本発明は、導出補助具無しタイプの充填容器の容器口部に装着することにより、当該充填容器を導出補助具付きタイプの充填容器にすることが可能な、流動物の導出補助具、当該導出補助具の充填容器への取り付け構造、並びに流動物供給キットを提供する。
【課題を解決するための手段】
【００１３】
本発明の流動物の導出補助具は、
可撓性シートで形成され流動物が充填された袋状の容器本体部と前記容器本体部の開口部に固着された容器口部とを含む充填容器に装着される流動物の導出補助具であって、
前記導出補助具は、ノズル付きキャップと閉塞抑制部材とを含み、
前記ノズル付きキャップは、
前記容器口部への装着を可能とする接続部位を有するキャップ部と、
前記キャップ部の内部空間に連通しており前記容器本体部に充填された流動物を前記容器本体部外に流出させるうる貫通孔が形成されたノズルと、を含み、
前記閉塞抑制部材は、
前記容器口部内に配置された状態でその一部が前記容器口部から容器本体部内に突き出て前記可撓性シートに面する棒状体と、
前記棒状体の外表面のうちの前記容器本体内に突き出た領域から突出した突出部と、を含み、
前記閉塞抑制部材は、その長手方向にそって、
前記突出部を有した閉塞抑制領域と、
前記容器本体部内に配置された一方の端部の反対側の端部に配置された把持領域と、
前記閉塞抑制領域と前記把持領域との間に配置され、前記閉塞抑制部材の長手方向と直交する方向の最大長が、前記容器口部の最小内径より大きいか又は等しく且つ前記ノズルの最小内径よりも大きいことにより、前記閉塞抑制部材の上下方向の移動を制限する位置規制領域とを含み、
前記閉塞抑制部材は、前記容器口部内に挿入された状態で前記容器口部の内面との間に流動用間隙を形成する。
【００１４】
本発明の導出補助具の充填容器への取り付け構造は、
可撓性シートで形成され流動物が充填された袋状の容器本体部と前記容器本体部の開口部に固着された容器口部とを含む充填容器に対して前記充填容器内の流動物の導出を補助する導出補助具の、前記充填容器への取り付け構造であって、
前記導出補助具は、ノズル付きキャップと閉塞抑制部材とを含み、
前記ノズル付きキャップは、
前記容器口部への装着を可能とする接続部位を有するキャップ部と、
前記キャップ部の内部空間に連通しており前記容器本体部に充填された流動物を前記容器本体部外に流出させるうる貫通孔が形成されたノズルと、を含み、
前記閉塞抑制部材は、
前記容器口部内に配置された状態でその一部が前記容器口部から容器本体部内に突き出て前記可撓性シートに面する棒状体と、
前記棒状体の外表面のうちの前記容器本体内に突き出た領域から突出した突出部と、を含み、
前記閉塞抑制部材は、その長手方向にそって、
前記突出部を有した閉塞抑制領域と、
前記容器本体部内に配置された一方の端部の反対側の端部に配置された把持領域と、
前記閉塞抑制領域と前記把持領域との間に配置され、前記閉塞抑制部材の長手方向と直交する方向の最大長が、前記容器口部の最小内径より大きいか又は等しく且つ前記ノズルの最小内径よりも大きいことにより、前記閉塞抑制部材の上下方向の移動を制限する位置規制領域とを含み、
前記閉塞抑制部材は、前記容器口部内に挿入された状態で前記容器口部の内面との間に前記流動物が流れる流動用間隙を形成する。
【００１５】
本発明の流動物供給キットは、
可撓性シートで形成され流動物が充填された袋状の容器本体部と前記容器本体部の開口部に固着された容器口部とを含む充填容器と、前記充填容器内の前記流動物の導出を補助する導出補助具とを含む、流動物供給キットであって、
前記導出補助具は、ノズル付きキャップと閉塞抑制部材とを含み、
前記ノズル付きキャップは、
前記容器口部への装着を可能とする接続部位を有するキャップ部と、
前記キャップ部の内部空間に連通しており前記容器本体部に充填された流動物を前記容器本体部外に流出させるうる貫通孔が形成されたノズルと、を含み、
前記閉塞抑制部材は、
前記容器口部内に配置された状態でその一部が前記容器口部から容器本体部内に突き出て前記可撓性シートに面する棒状体と、
前記棒状体の外表面のうちの前記容器本体内に突き出た領域から突出した突出部と、を含み、
前記閉塞抑制部材は、その長手方向にそって、
前記突出部を有した閉塞抑制領域と、
前記容器本体部内に配置された一方の端部の反対側の端部に配置された把持領域と、
前記閉塞抑制領域と前記把持領域との間に配置され、前記閉塞抑制部材の長手方向と直交する方向の最大長が、前記容器口部の最小内径より大きいか又は等しく且つ前記ノズルの最小内径よりも大きいことにより、前記閉塞抑制部材の上下方向の移動を制限する位置規制領域とを含み、
前記閉塞抑制部材は、前記容器口部内に挿入された状態で前記容器口部の内面との間に前記流動物が流れる流動用間隙を形成する。
【発明の効果】
【００１６】
本発明では、導出補助具無しタイプの充填容器の容器口部に装着することにより、当該導出補助具無しタイプ充填容器を導出補助具付きタイプの充填容器にすることが可能であるので、流動物の供給に際し、充填容器中の流動物について、個人にあった供給方法を自由に採択できる。
【図面の簡単な説明】
【００１７】
【図１】図１は、充填容器の一例の部分正面図である。
【図２】図２は、図１に示された充填容器に、本発明の流動物の導出補助具の一例の閉塞抑制部材の一例を挿入する途中段階を示した概念図である。
【図３】図３は、図１に示された充填容器に、本発明の流動物の導出補助具の一例が装着された、流動物供給キットを示した正面図である。
【図４】図４は、図１に示された充填容器の容器口部に、本発明の流動物の導出補助具の一例が装着された状態を示した斜視図である。ただし、図の簡略化のために充填容器の容器本体部と流動物は省略し、容器口部４２の外形形状について簡略化して表している。
【図５】図５Ａは図４に示した本発明の流動物の導出補助具を構成する閉塞抑制部材の正面図、図５Ｂは閉塞抑制部材の側面図、図５Ｃは閉塞抑制部材の底面図である。
【図６】図６は、図４に示した本発明の流動物の導出補助具を構成するノズル付きキャップの斜視図である。
【図７】図７Ａは、図４に示した本発明の流動物の導出補助具を構成するノズル付きキャップの正面図、図７Ｂは当該ノズル付きキャップの側面図、図７Ｃは当該ノズル付きキャップの上面図である。
【図８】図８は、図７Ｂに示した発明の流動物の導出補助具の一例の断面図である。
【図９】図９Ａは、図１に示された充填容器の容器口部に、本発明の流動物の導出補助具の一例が装着され、閉塞抑制部材がノズル付キャップに接した状態を示した正面図であり、図９Ｂは、図９Ａを矢印VIVに沿って見た断面図である。
【図１０】図１０Ａは、図１に示された充填容器の容器口部に、本発明の流動物の導出補助具の一例が装着され、閉塞抑制部材がノズル付キャップに接した状態を示した正面図であり、図１０Ｂは、図１０Ａを矢印Ｘに沿って見た断面図である。
【図１１】図１１は、図９Ｂを矢印ＸＩに沿って見た切断部拡大端面図である。
【図１２】図１２Ａは、図１に示された充填容器の容器口部に、本発明の流動物の導出補助具の一例が装着された、閉塞抑制部材がノズル付キャップに接した状態を示した状態を示した側面図であり、図１２Ｂは、図１２Ａを矢印ＸＩＩに沿って見た断面図である。
【図１３】図１３Ａは、図１に示された充填容器の容器口部に、本発明の流動物の導出補助具の一例が装着され、閉塞抑制部材の位置規制領域が容器口部の内面に接した状態を示した正面図であり、図１３Ｂは、図１３Ａを矢印ＸIIIに沿って見た断面図である。
【図１４】図１４は、図１２Ｂを矢印ＸＩＶに沿って見た切断部拡大端面図である。
【図１５】図１５は、図３に示した流動物供給キットの一例と、医療用送液回路との接続について説明する概念図である。但し、図１５において、流動物供給キットについてはノズル付キャップのみを示し、充填容器および閉塞抑制部材は省略している。
【図１６】図１６は、閉塞抑制部材の他の一例の正面図である。
【発明を実施するための形態】
【００１８】
本発明の流動物の導出補助具（以下「本発明の導出補助具」または「導出補助具」と呼ぶ場合もある。）、本発明の導出補助具の充填容器への取り付け構造（以下「本発明の取り付け構造」又は「取り付け構造」と呼ぶ場合もある。）、又は本発明の流動物供給キット（以下「流動物供給キット」と呼ぶ場合もある。）において、前記棒状体のうちの前記位置規制領域に対応する部分であって前記最大長を有する部分の断面形状が長方形であると好ましい。この場合、前記位置規制領域の前記最大長を有する部分の４つの角が容器口部の内周面に接することで、閉塞抑制部材の下方向の移動（閉塞抑制部材の容器口部への挿入方向と同方向）を、安定して制限できる。
【００１９】
尚、本発明において、位置規制領域の「最大長」は、閉塞抑制部材の長手方向（閉塞抑制部材の容器口部への挿入方向と同方向）と直交する方向の長さ（以下「左右方向長」と呼ぶ場合もある。）のうちの最大長である。上記最大長を有する部分の閉塞抑制部材の断面形状が長方形である場合、「最大長」は、長方形の対角線の長さに等しい。
【００２０】
本発明の導出補助具、本発明の取り付け構造、又は本発明の流動物供給キットにおいて、前記棒状体のうちの前記位置規制領域に対応する部分は、前記閉塞抑制領域側に向かって、閉塞抑制部材の長手方向と直交する方向の長さ（左右方向長）が連続して小さくなった部分を含む。棒状体がこのような形態であると、容器口の内径が例えば下記（１）（２）の形態である場合に、容器口部内において閉塞抑制部材が安定して配置され、好ましい。
（１）前記閉塞抑制部材が前記容器口部に装着された状態のときに前記容器口部のうちの前記位置規制領域と長手方向が同位置となる部分の内径が、前記容器口部の長手方向に沿って一定である場合
（２）前記閉塞抑制部材が前記容器口部に装着された状態のときに前記容器口部の前記位置規制領域と長手方向が同位置となる部分のうちの少なくとも一部において、前記容器口部の内径が前記流動物の流出方向に向かって徐々に大きくなっている場合
【００２１】
尚、上記棒状体の「前記閉塞抑制部材の長手方向と直交する方向の長さ」は、棒状体の断面形状が長方形である場合、長方形の対角線の長さに等しい。
【００２２】
また、前記棒状体のうちの前記位置規制領域に対応する部分が、閉塞抑制領域側に向かって、左右方向長が連続して小さくなった部分を含む上記の好ましい形態においては、例えば、棒状体のうちの位置規制領域に対応する部分の左右方向長が閉塞抑制領域側に向かって一定である形態と比べて、容器口部内の流路用間隙を大きくすることができるので、好ましい。さらに、閉塞抑制部材を、内径が異なる種々の容器口部に対して使用できるので好ましい。
【００２３】
本発明の導出補助具、本発明の取り付け構造、又は本発明の流動物供給キットにおいて、前記容器口部の外周面にオネジが形成されており、前記ノズル付きキャップは、前記容器口部に装着された状態のときに、前記容器口部の内周面にその外周面が密着する第１筒状部と、前記第１筒状部と離間して前記第１筒状部の外側に配置され、前記オネジと螺合可能なメネジがその内周面に形成された第２筒状部と含む。この場合、前記ノズル付きキャップと前記容器口部との間の接続について高い液密性が得られる。また、閉塞抑制部材の容器口部への挿入方向の反対方向への移動が第１筒状部によって制限されることにより、ノズル内における流動物の流路を確保し易く、好ましい。
【００２４】
本発明の導出補助具、本発明の取り付け構造、又は本発明の流動物供給キットにおいて、前記ノズル付きキャップは、可撓性チューブと前記可撓性チューブの一方の端部に設けられたメス型コネクタとを含む医療用送液回路の前記メス型コネクタと係合可能な係合部を含む。この場合、医療用送液回路とノズル付きキャップとを強固に接続できるので、例えば、粘度の高い液状物を手動式ポンプ等を用いて容器本体部から押し出す際、医療用送液回路とノズル付きキャップとの接続が解除される不安が低減される。
【００２５】
以下、本発明の好適な導出補助具の一例、当該導出補助具の充填容器への取り付け構造の一例、並びに流動物供給キットの一例を、図面を用いて説明する。但し、本発明は以下の形態に限定されない。
【００２６】
（実施形態１）
本実施形態の流動物の導出補助具（以下「導出補助具」と略称する場合もある。）は、例えば、図１に示されるような充填容器４に装着されて使用される。
【００２７】
図１に示されるように、充填容器４は、流動物が充填された袋状の容器本体部４１と、容器本体部４１の開口部に固着された容器口部４２とを含む。容器本体部４１は可撓性シートで形成されている。容器口部４２の外周面には、後述するノズル付キャップ２との接続手段の一例として、オネジ４２ａが形成されている。容器口部４２は、ノズル付キャップ２が装着されたときに、ノズル付キャップ２内に挿入される挿入部４２ｂと、１対の可撓性シートに挟まれて容器本体部４１に液密に固定される接着部４２ｃとを含む。
【００２８】
図４に示される本実施形態の導出補助具１は、ノズル付きキャップ２と閉塞抑制部材３とを含む。尚、図４において、充填容器４に装着された状態の導出補助具１と容器口部４２との位置関係が容易に理解できるよう、図１に示された容器口部４２の外形形状について簡略化しており、容器口部４２を円筒状で表している。
【００２９】
図２は、充填容器４に閉塞抑制部材３の一例を挿入する途中段階を示しており、図３は、充填容器４に閉塞抑制部材３が挿入された後、ノズル付きキャップ２が容器口部４２に装着された様子を示している。本実施形態の導出補助具１が適用可能であり、及び当該導出補助具１の充填容器４への取り付け構造を構成する容器口部４２の内径は、後述する導出補助具１の閉塞抑制部材３を容器口部４２内に保持できる限り特に制限はない。しかし、閉塞抑制部材３を、摩擦係合により容器口部４２内に保持し易いという理由から、容器口部４２の内径は、長手方向に沿って一定であると好ましく、長手方向に沿った少なくとも一部において容器本体部４１内に充填された流動物の上流側から下流側に向かって徐々に大きくなっている（流動物の流出方向に向かって徐々に大きくなっている）と好ましい。尚、図３及び図４等において、参照符号１００は、ノズル付きキャップ２の中心軸であり、これは容器口部４２と閉塞抑制部材３の中心軸でもある。以下、説明の便宜のため、本願において、中心軸１００方向において、紙面上側（流動物の流れの上流側）を「上」又は「上側」、紙面下側（流動物の流れの下流側）を「下」又は「下側」と呼ぶ（以下、図５〜図１０、１２、１３、１５についても同様）。
【００３０】
図５Ａ〜Ｄに示されるように、閉塞抑制部材３の全体形状は略棒状である。閉塞抑制部材３は、棒状体３１と突出部３２とを含む。棒状体３１の長手方向の長さは、容器口部３のそれよりも長いので、棒状体３は、容器口部３内に配置された状態でその一部が容器口部３から容器本体部４１内に突き出て可撓性シートに面している。
【００３１】
閉塞抑制部材３は、把持領域３ａと位置規制領域３ｂと閉塞抑制領域３ｃとを、閉塞抑制部材３の容器口部４２への挿入開始側の反対側から長手方向にそってこの順に含む。図５Ａ〜Ｄに示されるように、本実施形態では、棒状体３は、細長い板状であり、位置規制領域３ｂと閉塞抑制領域３ｃとを含む領域を、棒状体の長手方向と直交する方向に切断したときに見える切断面が、いずれも長方形である。この場合、位置規制領域３ｂおよび閉塞抑制領域３ｃは、その形状が単純で製造が容易であり好ましい。位置規制領域３ｂの左右方向長のうちの、少なくとも最大長を有する部分の４つの角が容器口部４２の内周面に接して容器口部４２と摩擦係合することで、閉塞抑制部材３の下方向（下流側方向）への移動が制限される。この場合の位置規制領域３ｂの「最大長」は、図５Ｄに示される長方形断面の角を結ぶ対角線Ｌの長さに等しい。
【００３２】
また、本実施形態では、位置規制領域３ｂの長手方向方向のいずれかの箇所において、左右方向長が、後述するノズル付きキャップ２の第１筒状部の外径よりも大きいことにより、閉塞抑制部材３の上方向（上流側方向）の移動が制限される。
【００３３】
棒状体３１のうちの位置規制領域３ｂに対応する部分は、把持領域３ａ側端から閉塞抑制領域３ｃ側に向かってその閉塞抑制部材３の左右方向長が連続して小さくなる部分Ｐを含む。この場合、例えば、容器口部４２の内腔の平面形状が真円であり、（１）閉塞抑制部材３が容器口部内に挿入された状態で、容器口部４２のうちの位置規制領域３ｂと長手方向が同位置の部分の内径が長手方向に沿って一定である場合や、（２）前記閉塞抑制部材が前記容器口部に装着された状態のときに前記容器口部の前記位置規制領域と長手方向が同位置となる部分のうちの少なくとも一部において、前記容器口部の内径が前記流動物の流出方向に向かって徐々に大きくなっている場合に、容器口部４２内に閉塞抑制部材２が安定的に保持され、且つ、容器口部内の流路用間隙を大きく確保できる。また、この場合、部分Ｐのいずれかの箇所が容器口部４２の内面と摩擦係合しうるので、容器口部４２の内径の寸法精度について高精度である必要がなく、好ましい。
【００３４】
図４及び図５に示されるように、閉塞抑制領域３ｃは、閉塞抑制領域３ｃが容器口部３内に配置された状態で、棒状体３のうちの容器口部３から容器本体部４１内に突き出た一部３１ｃと２つの突出部３２とを含む。２つの突出部３２は、突出部３２が設けられた棒状体３１の表面から、例えば、各々、直角に立設されている。このように、棒状体３１のうちの容器口部４２から容器本体部４１内に突き出た一部３１ｃに突出部３２が設けられていると、棒状体３のうちの容器口部４２から容器本体部４１内に突き出た一部３１ｃおよび突出部３２のうちの一方又は双方によって、向かい合う１対の可撓性シート同士が密着することが抑制される。可撓性シート同士の密着を効果的に抑制する観点から、図５Ｃに示されるように、例えば、閉塞抑制領域３ｃをその長手方向と直交する方向に切断したときに見える切断面は、十字であると好ましい。
【００３５】
位置規制領域３ｂは、把持領域３ａに隣接して、把持領域３ａと位置規制領域３ｂの左右方向長が最大である箇所との間に配置されたショルダー部３ｂ'を含んでいる。ショルダー部では、下から上に向かって（把持領域３ａから位置規制領域３ｂの左右方向長さが最大である箇所に向かって）閉塞抑制部材３の左右方向長が徐々に大きくなっている。この場合、位置規制領域３ｂ、把持領域３ａおよび閉塞抑制領域３ｃのうちの相対的に細い把持領域３ａの長さを短く設定できるので、閉塞抑制部材３の強度を高めることができる。また、本実施形態では、ショルダー部３ｂ'が、後述するノズル付きキャップ２の第１筒状部の端面に当接することにより、閉塞抑制部材３の上方向の移動が制限される。
【００３６】
把持領域３ａは、閉塞抑制部材３を容器口部４２内に挿入する際に、操作者によって把持される部分であり、閉塞抑制部材３が容器口部４２に装着された状態では、閉塞抑制部材３の容器本体部４１内に配置された一方の端部の反対側の端部に位置する。
【００３７】
閉塞抑制部材３の把持領域３ａにおける棒状体３１の左右方向長さの最大長は、容器口部４２の内径よりも小さい。閉塞抑制部材３が容器口部４２に装着された状態で、後述するノズル付キャップのノズル内に把持領域３ａが配置される場合は、把持領域３ａの左右方向長さの最大長は当該ノズルの内径よりも小さい。容器口部４２内およびノズル２１内において、流動物のスムーズな流通のために広い流路を確保する観点から、閉塞抑制部材３の把持領域３ａにおける棒状体３１の左右方向長は、位置規制領域３ｂおよび閉塞抑制領域３ｃにおけるそれらよりも小さいと好ましい。尚、図５Ａ〜Ｄに示した閉塞抑制部材３では、把持領域３ａにおける棒状体３１の閉塞抑制部材３の左右方向長はその長手方向に沿ってほぼ一定であるが、把持領域３ａがノズル内に配置されていても、十分な流動用隙間が確保されるかぎり、これに限定されない。把持領域３ａは、操作性向上の観点から、その外表面に、滑り止めのリブ３１ａを複数備えていると好ましい。
【００３８】
位置規制領域３ｂは、閉塞抑制領域３ｃと把持領域３ａとの間に配置されている。位置規制領域３ｂは、閉塞抑制部材３が容器口部４２に装着された状態で、閉塞抑制部材３の上下方向の移動を制限するよう機能する。次に、図９〜図１４を用いて、位置規制領域３ｂによって、閉塞抑制部材３の上下方向の移動が制限されている様子を説明する。尚、図９〜図１０、図１２〜図１３において、充填容器４に装着された状態の導出補助具１と容器口部４２との位置関係が容易に理解できるよう、図１に示された容器口部４２の外形形状について簡略化し容器口部４２を円筒状で表している。図１１は、図９Ｂを矢印ＸＩに沿って見た切断部拡大端面図であり、図１４は、図１２Ｂを矢印ＸＩＶに沿って見た切断部拡大端面図である。ただし、図１１および図１４において、ノズル付きキャップ２は省略している。
【００３９】
図９〜１０、図１２〜１３に示された容器口部４２の内径はその長手方向に沿って一定である。図９〜図１１に示されるように、閉塞抑制部材３の位置規制領域３ｂの最大長Ｌは、容器口部４２の最小内径Ｗ１よりも大きいか又は等しい。そのため、導出補助具が装着された充填容器では、図９〜図１１に示されるように、容器口部４２の内周面に位置規制領域３ｂが摩擦係合することで、下方への移動が制限され、閉塞抑制部材３が容器本体部内に落下することが抑制されている。
【００４０】
一方、図１３Ｂに示されるように、本実施形態では、閉塞抑制部材３のショルダー部３ｂ′がノズル付キャップ２の第１筒状部２２ａ（後で詳述する）の先端端面２２２ａに当接することで、閉塞抑制部材３の上方への移動が規制されている。
【００４１】
次に、図４、図６〜図１２を用いて、ノズル付きキャップ２について説明する。
【００４２】
図６は、本実施形態の導出補助具１を構成するノズル付キャップ２の斜視図であり、図７Ａは正面図、図７Ｂは側面図、図７Ｃは上面図、図８は断面図である。図６〜図８において、一点鎖線１００はノズル付キャップ２の中心軸である。
【００４３】
ノズル付きキャップ２は、容器口部４２への装着を可能とする接続部位を有するキャップ部２２と、キャップ部２２の内部空間２２ｅに連通しており容器本体部に充填された流動物を容器本体部外に流出させるうる貫通孔２１ａが形成されたノズル２１とを含む。
【００４４】
キャップ部２２は、第１筒状部２２ａと、第２筒状部２２ｂと、第３筒状部２２ｃを含む。第１筒状部２２ａは、ノズル付きキャップ２が容器口部４２に装着された状態のときに、容器口部４２の内周面にその外周面が密着する。第２筒状部２２ｂは、第１筒状部２２ａと離間して第１筒状部２２ａの外側に配置されており、第１筒状部２２ａよりも軸１００方向の長さが長い。第３筒状部２２ｃは、第２筒状部２２ｂと離間して第２筒状部２２ｂの外側に配置されている。
【００４５】
第２筒状部２２ｂの内周面には、容器口部４２の外周面に形成されたオネジ４２ａ（図１参照）と螺合可能なメネジ２２ｄが形成されている。オネジ４２ａとメネジ２２ｄとが螺合することによりノズル付きキャップ２が容器口部４２に装着された状態のときに、容器口部４２の少なくとも挿入部４２ｂ（図１参照）はノズル付きキャップ２の内部空間２２ｅ内に収容され、キャップ部２２によって包囲される。
【００４６】
第１筒状部２２ａに形成された貫通孔２２１ａは、ノズル２の貫通孔２１ａ及び第２筒状部２２ｂの貫通孔２２１ｂと各々連通している。貫通孔２２１ａ及び貫通孔２２１ｂは、キャップ部２２の内部空間２２ｅを構成している。
【００４７】
第１筒状部２２ａ、第２筒状部２２ｂおよび第３筒状部２２ｃは、これらの上方に配置された台座２２ｆによって一体化されている。台座２２ｆの中央に、上方に向かって突出したノズル２１が設けられている。ノズル２１の先端側の外周面は、キャップ部２２に近づくほど外径が大きくなるテーパ面（円錐台面）を有している。
【００４８】
台座２２ｆの外周面には、中心軸１００に対して対称位置に、一対の係合爪２２ｇが中心軸１００に対して放射方向に突出して形成されている。
【００４９】
次に、図１５を用いて、図３に示した流動物供給キットの一例と、医療用送液回路との接続について説明する。但し、図１５において、流動物供給キットについてはノズル付キャップのみを示し、充填容器および閉塞抑制部材は省略している。
【００５０】
医療用送液回路８は、可撓性チューブ８１と可撓性チューブ８１の一方の端部に設けられたメス型コネクタ８２とを含む。メス型コネクタ８２は、ハンドル８３とハンドル８３に外挿入されたアダプタ８４とからなる。アダプタ８４は、相対的にハンドル８３より軟質な材料から形成されている。ハンドル８３は、ノズル付キャップ２の係合爪２２ｇと係合可能な係合壁８３ａを有する。ノズル付キャップ２のノズル２１の外周面上にアダプタ８４を被せるように矢印１０２の向きにアダプタ１１０をノズル２１に外挿する。次いで、メス型コネクタ８２を矢印１０２の向きに押し付けながら、ハンドル８３を回転させて、係合爪２２ｇと係合壁８３ａとを係合させる。
【００５１】
アダプタ８４の挿入部８４ａは、可撓性及び弾性を有するので、ノズル付キャップ２のノズル２１の外周面の形状に応じて変形し、その弾性回復力によりノズル２１の外周面に密着する。一方、ハンドル８３は高い剛性を有するので、２本の指がハンドル８３に対してその直径方向に印加する把持力がアダプタ８４の挿入部８４ａとノズル２１との間の摩擦力を増大させることはない。
【００５２】
メス型コネクタ８２のノズル付キャップ２からの分離は上記の動作を逆に行うことで可能である。即ち、ノズル付キャップ２対してハンドル８３を矢印１０２の向きに押しながら、ノズル付キャップ２に対してハンドル８３を中心軸１００の周りに反時計方向に回転させる。これにより、ノズル付キャップ２の係合爪２２ｇと係合壁８３ａとの係合が解除される。次いで、アダプタ８４からノズル２１を抜き取る。
【００５３】
尚、ノズル付きキャップ２とメス型コネクタ８２との係合構造は、上記のものに限定されず、上記係合構造は、従来から公知のいずれの係合構造であってもよい。
【００５４】
ノズル付きキャップ２、閉塞抑制部材３、及び容器口部の材料は、可撓性チューブ８１よりも高い剛性と硬度を有する材料であること以外特に制限はないが、例えば、ポリエチレン、ポリプロピレン、ポリカーボネート、ポリアセタール、ポリ塩化ビニル（ＰＶＣ）、ポリブタジエン（ＰＢＤ）、ＡＢＳ樹脂等を用いることができるが、移送チューブ４１との接続が容易であるという理由から、ポリカーボネート、ポリ塩化ビニル（ＰＶＣ）、又はＡＢＳ樹脂が好ましい。
【００５５】
メス型コネクタ２のハンドル８３は、可撓性チューブ８１よりも高い剛性と硬度を有する材料であること以外特に制限はないが、例えば、ポリエチレン、ポリプロピレン、ポリカーボネート、ポリアセタール、ポリ塩化ビニル（ＰＶＣ）、ポリブタジエン（ＰＢＤ）、ＡＢＳ樹脂等を用いることができるが、移送チューブ４１との接続が容易であるという理由から、ポリカーボネート、ポリ塩化ビニル（ＰＶＣ）、又はＡＢＳ樹脂が好ましい。
【００５６】
容器本体部を構成する可撓性シートの材料について、特に制限はなく、従来から公知の材料のいずれの材料であってもよい。
【００５７】
以上、図１〜図１５を用いて、本発明の導出補助具の一例、当該導出補助具の充填容器への取り付け構造の一例、並びに流動物供給キットの一例について説明したが、これらは例示にすぎず、種々の変更が可能である。
【００５８】
図５Ａ〜Ｃを用いて説明した閉塞抑制部材３では、位置規制領域３ｂと閉塞抑制領域３ｃとを含む領域を、棒状体の長手方向（閉塞抑制部材の容器口部への挿入方向と同方向）と直交する方向に切断したときに見える切断面が長方形であるが、図１６に示されるように、位置規制領域３ｂに対応する棒状体３１の一部のみについて、棒状体の長手方向と直交する方向に切断したときに見える切断面が長方形であってもよい。
【００５９】
棒状体の長手方向（閉塞抑制部材の容器口部への挿入方向と同方向）と直交する方向に切断したときに見える切断面は、閉塞抑制部材３が、容器口部４２内に適切に保持される限り、平行四辺形等であってもよい。
【００６０】
また、閉塞抑制領域３ｃによって可撓性シート同士の密着を抑制できれば、突出部３２の数について限定されるものではなく、例えば、突出部３２の突出部３２が形成された棒状体の表面に対する角度が９０°なくてもよい。
【００６１】
図１３Ｂに示されるように、実施形態１では、閉塞抑制部材３のショルダー部３ｂ′がノズル付キャップ２の第１筒状部２２ａ（後で詳述する）の先端端面に当接することで、閉塞抑制部材３の上方への移動が規制されている。しかし、ノズル付キャップと容器口部との間の液密が他の手段によって担保されるのであれば、ノズル付キャップ２が第１筒状部２２ａを備えていなくてもよい。ノズル付キャップ２が第１筒状部２２ａを備えていなくても、最大長Ｌがノズル２１の基端部における内径Ｗ２（図８参照）よりも大きいので、ノズル付キャップ２によって、閉塞抑制部材３の上側（ノズル側）への移動が制限される。
【００６２】
医療用送液回路は、メス型コネクタおよび可撓性チューブ以外に、可撓性チューブを押圧して可撓性チューブ内を流れる流動物の流量調整を可能とする流量調整器や可撓性チューブ４１を流れる流動物の流量を可視化する点滴筒等の従来の医療用送液回路が備える部品をさらに備えていてもよい。
【００６３】
図１５に示した、メス型コネクタ８２のアダプタ８４はハンドル８３よりも軟質な材料から形成されているが、メス型コネクタ８２は、その全体がハンドル８３と同様に硬質な材料から形成されており、アダプタ８４とハンドル８３とが一体成形されていてもよい。この場合は、ノズル付きキャップのノズル２１の長手方向の長さは図７等に示したそれよりも短くてもよい。
【産業上の利用可能性】
【００６４】
本発明は、経腸栄養療法の分野において有用である。
【符号の説明】
【００６５】
１            導出補助具
２            ノズル付キャップ
２２ａ        第１筒状部
２２ｂ        第２筒状部
３            閉塞抑制部材
３ａ          把持領域
３ｂ          位置規制領域
３ｂ          ショルダー部
３ｃ          閉塞抑制領域
３１          棒状体
３２          突出部
４            充填容器
４１          容器本体部
４２          容器口部
４２ａ        オネジ
４２ｂ        挿入部
４２ｃ        接着部
８１          可撓性チューブ
８２          メス型コネクタ
８            医療用送液回路
２２ｇ        係合爪（係合部）
【図１】
0006024160.tif 000002
【図２】
0006024160.tif 000003
【図３】
0006024160.tif 000004
【図４】
0006024160.tif 000005
【図５】
0006024160.tif 000006
【図６】
0006024160.tif 000007
【図７】
0006024160.tif 000008
【図８】
0006024160.tif 000009
【図９】
0006024160.tif 000010
【図１０】
0006024160.tif 000011
【図１１】
0006024160.tif 000012
【図１２】
0006024160.tif 000013
【図１３】
0006024160.tif 000014
【図１４】
0006024160.tif 000015
【図１５】
0006024160.tif 000016
【図１６】
0006024160.tif 000017